(57)【要約】【課題】任意の時に芳香剤もしくは消臭剤などの薬剤を、任意の場所に塗布することができ、かつ必要に応じて一度に塗布することができる範囲を調節可能な携帯薬剤塗布具を提供すること。【解決手段】芳香剤もしくは消臭剤などの薬剤を保液可能な毛細管通路で形成し、外周面部を通気性の態様に形成した薬剤保液部を内蔵し、容器を長手方向にスライドすることで、前記薬剤保液部の露出部分の長さを自由に変えて、この薬剤保液部の外周面から前記薬剤を毛細管誘導して面状塗布が可能であることを特徴とする携帯薬剤塗布具。【選択図】図１
2006137431.tif 000002
【特許請求の範囲】
【請求項１】
芳香剤もしくは消臭剤などの薬剤を保液可能な毛細管通路で形成し、外周面部を通気性の態様に形成した薬剤保液部を内蔵し、容器を長手方向にスライドすることで、前記薬剤保液部の露出部分の長さを自由に変えて、この薬剤保液部の外周面から前記薬剤を毛細管誘導して面状塗布が可能であることを特徴とする携帯薬剤塗布具。
【発明の詳細な説明】
【技術分野】
【０００１】
本発明は、任意の時に芳香剤もしくは消臭剤などの薬剤を、任意の場所に塗布することができる携帯薬剤塗布具に関する。
【背景技術】
【０００２】
香水は、一般的に指或いはスプレーして直接肌につけるなどして利用されている。そのため、塗布時に手を汚してしまうとともに、スプレーのように香りが不必要に広がってしまうと、無駄であるばかりか適量塗布が困難である。
【０００３】
この問題に対し、例えば特許文献１には、意図した場所に香料を塗布できる筆記具タイプの塗布具が開示されている。しかしながら、この塗布具は、塗布部の露出面積を調節できないため、広範囲の塗布が困難である。そのため、例えば虫除けを目的として広範囲に塗布したい場合には、充分な効果が得られるよう塗り広げるのに多くの時間と労力を必要とし、非常に手間である。
【特許文献１】特開２００３−１７０６９６号公報
【発明の開示】
【発明が解決しようとする課題】
【０００４】
本発明は、任意の時に芳香剤もしくは消臭剤などの薬剤を、任意の場所に塗布することができ、かつ必要に応じて一度に塗布することができる範囲を調節可能な携帯薬剤塗布具を提供することを目的とする。
【課題を解決するための手段】
【０００５】
本発明は、芳香剤もしくは消臭剤などの薬剤を保液可能な毛細管通路で形成し、外周面部を通気性の態様に形成した薬剤保液部を内蔵し、容器を長手方向にスライドすることで、前記薬剤保液部の露出部分の長さを自由に変えて、この薬剤保液部の外周面から前記薬剤を毛細管誘導して面状塗布が可能であることを特徴とする携帯薬剤塗布具に関する。
【発明の効果】
【０００６】
本発明によれば、極めてコンパクトで、携帯・携行に便利であると共に、任意の時に芳香剤もしくは消臭剤などの薬剤を、時や場所や目的に応じて、任意の場所に塗布することができ、薬剤保液部の露出部分を調整して、塗布することができる範囲を自由に簡単に調整できる効果が発現されることになる。
【発明を実施するための最良の形態】
【０００７】
本発明について、以下具体的に説明する。
【０００８】
容器本体は、ペン状、その他の適宜のもので良く、長手方向にスライドすることで内部の薬剤保液部が露出し、自由に露出部分の長さを変えることができる形態のものである。また、携帯性を考慮した場合、容器本体にクリップを有することが好ましい。さらに、スライド開放する容器接合部には、パッキンを有するなどして気密性を高めても良い。
【０００９】
容器内部の薬剤保液部本体は、棒状、その他の適宜のものであり、その断面形状は、丸型、角型、星型等の任意断面形状のもので良く、径及び長さは自由である。また、薬剤保液部本体の材質は、合成繊維製、合成樹脂製、金属製、焼結樹脂や焼結金属等のポーラスタイプのものでよく、少なくとも外周面部が通気性を保つ断面構造のものになる。合成繊維製或いはポーラスタイプのものでは、相互に連通している多孔状の毛細管通路を有して、外周面部が通気性状態に形成されている断面構造のもの、合成樹脂製或いは金属製のものでは、内部に長手方向に貫通状の毛細管通路を有して、外周面部が開口している断面構造のものになる。毛細管通路の断面形状は任意であり、制限されない。また、サインペン、マーキングペンなどの各種筆記具に使用されているペン先及び中綿等を適宜選択しても良い。さらに、薬剤保液部本体を交換可能にすることで、異なる香りを楽しめたり、同じ香りを長期に渡って楽しめたり、塗布により薬剤保液部が汚れても清潔に保てることが好ましい。
【実施例１】
【００１０】
図１には、本発明の携帯薬剤塗布具における実施の一形態を例示しており、薬剤保液部５は多数の繊維を互いに密接状態に配し、隣接する繊維相互間に毛細間隙が形成された丸棒状の繊維加工体を適宜長さにカットしたものである。なお、この薬剤保液部５の外周面部は通気性を有している。その薬剤保液部５を、肌に直接薬剤を塗布するための開口部を有する保液部容器４に内蔵し、容器蓋６と接続している。なお、容器蓋６との接続方法は、薬剤保液部５を容易に交換できるのであれば良く、螺合に限定しない。これらを携帯に便利なクリップ２を有した容器本体１に収納している。
【００１１】
図２には、本発明の携帯薬剤塗布具における携帯時の一形態を例示している。容器本体１にクリップ２を有していることで、シャツの胸ポケット等に入れ、容易に携帯することができる。
【００１２】
図３には、本発明の携帯薬剤塗布具における使用時の一形態を例示している。容器を長手方向にスライドし、薬剤保液部５を自由な長さに露出することで、薬剤に合わせて適量を手首等に面状塗布することができる。
【００１３】
以上、本発明の実施例について説明したが、本発明はこれらの実施形態に何等限定されるものではない。例えば、図示していないが、容器本体内部に薬剤タンクを設け、薬剤保液部と連通させることで薬剤の持続性を向上させても良いし、容器蓋や容器本体に薬剤保液部への薬剤の注入口を設け、いろいろな香りを外部から採取できるようにしても良い。また、複数の薬剤保液部を容器本体に並列や直列に配置することで、いくつもの香りを楽しめるようにしても良い。さらに、紛失防止や使い勝手の向上のため、蓋等が容器本体と容易に完全分離しないようにしても良い。また、携帯に便利なクリップは、容器蓋側にあっても良い。さらに、薬剤保液部や保液部容器に柔軟性を持たせることで、塗布する場所に合わせてC形状等に湾曲させて使用できるようにしても良い。また、容器本体を透明にすることで、内部を容易に確認できるようにしたり、薬剤保液部を色分けすることで薬剤の識別が容易にできるようにしても良い。また、薬剤保液部や保液部容器にメモリを設け、露出長さを容易に認識できるようにしても良い。加えて、薬剤保液部を抗菌タイプにすることで、清潔に保つことができるようにしても良い。さらには、薬剤保液部には、芳香剤、消臭剤の他、防虫剤、液状シップ剤、日焼け止め、サンオイル、化粧料等を含浸させて利用しても良い。
【産業上の利用可能性】
【００１４】
本発明は、携帯に便利で、任意の時に、任意の場所に薬剤を塗布できるため、香水や虫除け塗布に好適である。
【図面の簡単な説明】
【００１５】
【図１】携帯薬剤塗布具の分解図
【図２】携帯薬剤塗布具の携帯時の一形態
【図３】携帯薬剤塗布具の使用時の一形態
【符号の説明】
【００１６】
１    容器本体
２    クリップ
３    パッキン
４    保液部容器
５    薬剤保液部
６    容器蓋
【図１】
2006137431.tif 000003
【図２】
2006137431.tif 000004
【図３】
2006137431.tif 000005